(57)【要約】【課題】  距離計測装置を適切に配置することのできる配置機器を提供する。【解決手段】  配置機器１のメインプレート１１，１２には、距離計測装置２の三脚２１の脚（先端）と係合する３つの固定穴１５が予め定められた位置に刻設されている。これらの固定穴１５は、三脚２１の各脚の先端と係合した際に、三脚２１の各脚を固定し、三脚２１に載置される計測ユニット２２を、水平に維持しつつ、地上から所定の高さに保持する。アームプレート１４には、計測ユニット２２の直下から所定の距離だけ離れた位置に取り付け穴１６が刻設されている。そして、センサユニット２３の底部に設けられた突起部等がこの取り付け穴１６に嵌合して、アームプレート１４にセンサユニット２３を保持する。【選択図】  図１
2005257462.tif 000002
【特許請求の範囲】
【請求項１】
測定対象物の方位を検出するセンサ部と、所定の三脚に載置され、当該センサ部が検出した方位に位置する測定対象物との距離を計測する計測部と、を有する距離計測装置を配置するための配置機器であって、
前記三脚の各脚の先端と係合し、前記三脚に載置される前記計測部を所定の高さに保持するための複数の凹部が刻設されたプレートと、
前記プレートに支持され、前記センサ部を着脱自在に保持し、前記プレートの各凹部を基準とした中心位置から所定の距離内に、前記センサ部を配置するアームと、
を備えることを特徴とする配置機器。
【請求項２】
前記アームは、一端が前記プレート上に回動自在に軸支され、他の一端には前記センサ部を固定する固定部が設けられており、
前記アームを回動させることにより、前記中心位置にも前記センサ部を配置可能である、
ことを特徴とする請求項１に記載の配置機器。
【請求項３】
測定対象物の方位を検出するセンサ部と、当該センサ部が検出した方位に位置する測定対象物との距離を計測する計測部と、を有する距離計測装置を配置するための配置機器であって、
前記計測部を所定の高さに保持する三脚と、
前記計測部と前記センサ部とを接続し、前記三脚により保持された計測部の直下の基準位置から所定の距離内に前記センサ部を配置するための所定の長さのケーブルと、
を備えることを特徴とする配置機器。
【請求項４】
前記三脚は、保持する高さが予め異なる複数種類の三脚からなり、
前記ケーブルは、各種の三脚に対応して使用される、長さの異なる複数種類のケーブルからなる、
ことを特徴とする請求項３に記載の配置機器。
【発明の詳細な説明】
【技術分野】
【０００１】
この発明は、距離計測装置を適切に配置することのできる配置機器に関する。
【背景技術】
【０００２】
従来より、陸上競技等において、種々の計測技術や判定技術が採用されている。例えば、フィールド競技８種目（走り高跳び、走り幅跳び、三段跳び、棒高跳び、円盤投げ、砲丸投げ、ハンマー投げ、槍投げ）において、光波距離計等の距離計測装置が使用されている。
この距離計測装置は、赤外線等を使用して測定点までの距離を正確に計測できる。具体的には、選手が着地した場所、または、槍や円盤が落下した地点（測定点）にプリズムマーカを置き、基準点（基準線付近）に設置した距離計測装置からプリズムマーカに向けて赤外線を照射し、その光がプリズムに反射して戻ってくる時間等から、正確に距離を計測する。
距離計測装置は、このように計測した距離数値を自己の表示部に表示し、審判（競技役員）の確認を得る。確認を得た後、距離計測装置は、距離数値をフィールド表示盤等に供給し、スタジアムの観客等に報知する。
【０００３】
このような距離計測装置は、一般に、水平水準器等を備えており、専用の三脚により地面に対して鉛直に立設される。そして、軟弱な地面でも距離計測装置を適切に保持することのできる三脚の固定装置の技術も開示されている（例えば、特許文献１参照）。
【特許文献１】特許第２６０５２５１号公報  （第２−３頁、第１図）
【発明の開示】
【発明が解決しようとする課題】
【０００４】
上述したような距離計測装置は、正確な距離を計測するために、計測方向をプリズムマーカ（計測対象物）に適切に向ける必要があった。
それでも、慣れない操作者等では、計測方向が計測対象物から僅かにずれてしまう場合も多かった。そこで、距離計測装置の計測方向を、計測対象物に向けて自動的に調整することができたならば、操作者等の負担を軽減でき、そして、より正確な距離計測が可能となることが予想される。
そのため、計測方向を自動的に調整する機構を備えた距離計測装置の開発が望まれていた。
【０００５】
しかしながら、このような機構を備えた距離計測装置が開発されたとしても、使用時において配置等がある程度容易でないと、従来の距離計測装置よりも使い難いものとなってしまう。また、距離計測装置が適切に配置されないと、計測方向の調整が不十分となり、距離計測が正確に実施できないことも予想される。
【０００６】
本発明は、上記実状に鑑みてなされたもので、距離計測装置を適切に配置することのできる配置機器を提供することを目的とする。
【課題を解決するための手段】
【０００７】
上記目的を達成するため、本発明の第１の観点に係る配置機器は、
測定対象物の方位を検出するセンサ部と、所定の三脚に載置され、当該センサ部が検出した方位に位置する測定対象物との距離を計測する計測部と、を有する距離計測装置を配置するための配置機器であって、
前記三脚の各脚の先端と係合し、前記三脚に載置される前記計測部を所定の高さに保持するための複数の凹部が刻設されたプレートと、
前記プレートに支持され、前記センサ部を着脱自在に保持し、前記プレートの各凹部を基準とした中心位置から所定の距離内に、前記センサ部を配置するアームと、
を備えることを特徴とする。
【０００８】
この発明によれば、プレートは、三脚の各脚の先端と係合し、前記三脚に載置される計測部を所定の高さに保持するための複数の凹部（例えば、固定穴等）が刻設されている。一方、アームは、プレートに支持され、センサ部を着脱自在に保持し、プレートの各凹部を基準とした中心位置から所定の距離内に、センサ部を配置する。
つまり、計測部を載置する三脚（各脚の先端）をプレートの凹部に係合させて立設させ、そして、センサ部をアームに取り付けることにより、計測部が所定の高さに配置され、また、センサ部が中心位置から所定の距離内に配置される。
この結果、距離計測装置を適切に配置することができる。
【０００９】
前記アームは、一端が前記プレート上に回動自在に支持され、他の一端には前記センサ部を固定する固定部が設けられており、
前記アームを回動させることにより、前記中心位置にも前記センサ部を配置可能としてもよい。
この場合、回動させたアームにより、センサ部を中心位置に配置することができるため、センサ部が検出した方位に位置する測定対象物との距離を、計測部がより正確に計測することができる。
【００１０】
上記目的を達成するため、本発明の第２の観点に係る配置機器は、
測定対象物の方位を検出するセンサ部と、当該センサ部が検出した方位に位置する測定対象物との距離を計測する計測部と、を有する距離計測装置を配置するための配置機器であって、
前記計測部を所定の高さに保持する三脚と、
前記計測部と前記センサ部とを接続し、前記三脚により保持された計測部の直下の基準位置から所定の距離内に前記センサ部を配置するための所定の長さのケーブルと、
を備えることを特徴とする。
【００１１】
この発明によれば、三脚は、計測部を所定の高さに保持する。ケーブルは、計測部とセンサ部とを接続し、三脚により保持された計測部の直下の基準位置から所定の距離内にセンサ部を配置するための所定の長さを有する。
つまり、三脚により計測部が所定の高さに配置され、また、ケーブルの長さの制限によりセンサ部が中心位置から所定の距離内に配置される。
この結果、距離計測装置を適切に配置することができる。
【００１２】
前記三脚は、保持する高さが予め異なる複数種類の三脚からなり、
前記ケーブルは、各種の三脚に対応して使用される、長さの異なる複数種類のケーブルからなってもよい。
この場合、計測する距離（距離範囲）に応じて、複数種類の三脚から１つの三脚が選ばれると、複数種類のケーブルから、選ばれた三脚に対応した長さのケーブルが使用される。つまり、計測部を保持する高さに応じて定まるケーブルが使用され、このケーブルの長さの制限によりセンサ部が中心位置から所定の距離内に配置されることになる。
この結果、距離計測装置を適切に配置することができる。
【発明の効果】
【００１３】
本発明によれば、距離計測装置を適切に配置することができる。
【発明を実施するための最良の形態】
【００１４】
本発明の実施の形態にかかる距離計測装置の配置機器等について、以下図面を参照して説明する。
【００１５】
（実施形態１）
図１は、この発明の実施の形態に適用される配置機器１及び距離計測装置２の外観の一例を示す斜視図である。また、図２は、配置機器１の平面図である。
なお、図１等に示す配置機器１及び距離計測装置２は、例えば、陸上競技の投てき競技（円盤投げ、ハンマー投げ、槍投げ）等に使用される。
【００１６】
図示するように、配置機器１は、メインプレート１１，１２と、センタプレート１３と、アームプレート１４と、から構成される。なお、各プレート１１〜１４は、一例として、金属板等の薄板材から形成されている。
【００１７】
メインプレート１１，１２は、図２等に示すように、一端が接合され、所定の角度（例えば、内角が６０度）に開いた逆Ｖ字型に形成されている。
メインプレート１１，１２には、後述する距離計測装置２の三脚２１の脚（先端）と係合する３つの固定穴１５が予め定められた位置に刻設されている。これらの固定穴１５は、三脚２１の各脚の先端と係合した際に、三脚２１の各脚を放射線状に等間隔に維持して、脚が動かないように（その状態から開閉しないように）固定する。これにより三脚２１に載置される計測ユニット２２を、水平に維持しつつ、地上から所定の高さ（予め定められた高さ）に保持する。
つまり、各固定穴１５は、三脚２１の脚の長さ等が勘案され、計測ユニット２２を所定の高さに保持できるような位置に、刻設されている。
なお、各固定穴１５は、脚２１の各脚の先端部と係合した際に、三脚２１の脚がその状態から開閉しないように固定できればよく、所定の深さの窪み、または溝等であってもよい。
【００１８】
センタプレート１３は、メインプレート１１，１２を中央付近にて連設するように形成されている。このセンタプレート１３は、メインプレート１１，１２の変形等を抑制し、配置機器１に歪み等を生じさせないようにし、各固定穴１５の位置がずれないようにしている。
【００１９】
アームプレート１４は、一端がメインプレート１１に支持され、他の一端にセンサユニット２３を取り付けるための取り付け穴１６が刻設されている。
この取り付け穴１６は、図３に示すように、各固定穴１５を基準とした中心点Ｐから所定の距離（図３における距離α）だけ離れた位置に刻設されている。そして、センサユニット２３の底部に設けられた突起部等がこの取り付け穴１６に嵌合して、アームプレート１４にセンサユニット２３を保持する。
【００２０】
一方、距離計測装置２は、図１に示すように、三脚２１と、計測ユニット２２と、センサユニット２３と、ケーブル２４とを含んで構成される。なお、距離計測装置２は、使用時に、配置機器１に取り付けられ、配置機器１と共に基準点（基準線Ｌ付近）に置かれる。また、測定対象物となるマーカＭは、測定点（選手が着地した場所、または、槍や円盤が落下した地点）に設置される。
ところで、このマーカＭは、例えば、一定の回転速度で回転する回転反射板と、プリズム等からなる反射鏡とを含んで構成される。
【００２１】
三脚２１は、距離計測装置２が配置機器１に取り付けられる際に、各脚の先端がメインプレート１１，１２の各固定穴１５と係合して固定される。この際、三脚２１は、各脚が放射線状に等間隔に維持され、そして、載置する計測ユニット２２を、水平に維持しつつ、地上から所定の高さに保持する。
【００２２】
計測ユニット２２は、マーカＭとの距離を計測するユニットであり、上述した三脚２１上に載置される。
一例として、計測ユニット２２は、図示しない距離計測部と、補正部とを含んで構成される。距離計測部は、マーカＭに向けて赤外線を照射し、マーカＭの反射鏡（プリズム等）にて反射され戻ってくる時間等により、マーカＭとの距離を計測する。また、補正部は、センサユニット２３が検出した方位に従って距離計測部の計測方向を補正する。
具体的に計測ユニット２２は、三脚２１上において水平方向に回動自在であり、センサユニット２３がマーカＭの方位を検出すると、その方位に向けて自動的に回動し、マーカＭとの距離を計測する。
なお、計測ユニット２２は、マーカＭと真正面に対向する方位を基準として、プラスマイナス２度の範囲内であれば、マーカＭとの距離を正確に計測することが可能な性能（計測仕様）を有している。
【００２３】
センサユニット２３は、自動的にマーカＭが置かれた方位を検出するユニットであり、配置機器１（アームプレート１４の取り付け穴１６）に取り付けられて使用される。
一例として、センサユニット２３は、図示しないマイクロ波送受信部と、回動制御部と、検出部とを含んで構成される。マイクロ波送受信部は、マーカＭに向けてマイクロ波を照射し、マーカＭの回転反射板から反射される反射波を受信する。また、回動制御部は、マイクロ波送受信部を配置機器１上において水平方向に回動させる。そして、検出部は、回動されるマイクロ波送受信部がそれぞれの方位で受信した反射波に基づいて、マーカＭが置かれた方位を検出する。
具体的にセンサユニット２３は、配置機器１（アームプレート１４）上を回動しつつマイクロ波を照射し、受信した反射波からマーカＭの回転反射板の回転（動き）をドップラ効果により得ることによって、マーカＭが置かれた方位を検出する。
【００２４】
ケーブル２４は、計測ユニット２２とセンサユニット２３とを電気的に接続するための伝導線等からなり、例えば、計測ユニット２２とセンサユニット２３との間で送受信される種々の情報（制御信号や、検出信号等）を伝達する。
【００２５】
次に、上述した配置機器１に取り付けられた際の距離計測装置２の配置状態等について、以下、図４〜図６を参照して説明する。なお、投てき競技を一例として、８０ｍ付近の距離を計測する場合について説明する。
【００２６】
配置機器１のメインプレート１１，１２の各固定穴１５に、三脚２１の各脚の先端が係合することにより、三脚２１は、各脚が放射線状に等間隔な状態に維持され、そして、載置する計測ユニット２２を、水平に維持しつつ、地上から所定の高さに配置する。具体的には、三脚２１の脚の長さ等が勘案され、メインプレート１１，１２には、計測ユニット２２を地上から１．５ｍの高さに配置できるような位置に、各固定穴１５が刻設されている。
つまり、図４に示すように、配置機器１により、計測ユニット２２は、地上から１．５ｍの高さに配置される。
なお、マーカＭまで８０ｍの距離を計測する場合、計測ユニット２２の高さを１．５ｍとすると、角度φは、ｔａｎ（φ）＝１．５／８０によって求められ、φ＝１．７（ＤＥＧ）となり、計測ユニット２２の有する性能（マーカＭと真正面に対向して、プラスマイナス２度の範囲内）を満足することになる。
【００２７】
また、配置機器１のアームプレート１４の取り付け穴１６に、センサユニット２３が取り付けられると、センサユニット２３は、各固定穴１５を基準とした中心点Ｐから所定の距離だけ離れた位置に配置される。具体的には、アームプレート１４には、センサユニット２３を計測ユニット２２の直下となる中心点（各固定穴１５と基準とした中心点Ｐ）から１．５ｍの距離に配置される位置に、取り付け穴１６が刻設されている。
つまり、図５に示すように、配置機器１により、センサユニット２３は、真上からみて、計測ユニット２２から１．５ｍ離れた位置に配置される。そのため、センサユニット２３が検出した方位と、計測ユニット２２の計測方位に幾分のずれが生じる。
それでも、マーカＭまで８０ｍの距離を計測する場合、上記の図４と同様に、センサユニット２３と計測ユニット２２との距離αを１．５ｍとすると、角度φは、ｔａｎ（φ）＝１．５／８０によって求められ、φ＝１．７（ＤＥＧ）となり、計測ユニット２２の有する計測仕様（プラスマイナス２度の範囲内）を満足することになる。
【００２８】
また、距離計測装置２は、上述したように、自動的にマーカＭが位置する方位θを検出し、そして、自動的に計測方向を検出した方位に向けてマーカＭとの距離を測定する。
しかしながら、何らかのトラブルが発生した場合に、操作者（大会役員等）がマニュアルにて操作することもあり得る。
この場合、図６に示すように、操作者Ｏは、椅子等に着座し、三脚２１の間に体を入れる（足等が入る）ことになる。このような場合であっても、センサユニット２３が上述の中心点Ｐから所定距離α（例えば、１．５ｍ）だけ離れているため、操作者Ｏにとって、センサユニット２３がじゃまになることがない。
【００２９】
次に、配置機器１により配置された距離計測装置２の具体的な動作等について、以下、図７を参照して説明する。なお、マーカＭは、上述したように回転反射板と反射板とを備えている。
【００３０】
計測に先立って、配置機器１と共に距離計測装置２のフィールド上の位置が調整され、図示するように、計測ユニット２２とセンサユニット２３とが、基準線Ｌ上に配置される。一方、マーカＭは、審判等により測定点（槍や円盤等が落下した地点）に配置される。そして、距離計測装置２は、操作者Ｏ等の操作に応答して、以下のような自動計測動作を開始する。
【００３１】
まず、センサユニット２３は、配置機器１（アームプレート１４）上を回動しつつマイクロ波を照射し、マーカＭからの反射波を受信可能となる受信エリア（受信可能となる範囲）を特定する。つまり、マーカＭの回転反射板にて反射される反射波を受信したか否かを判別して、受信エリアを特定する。なおこの際、センサユニット２３は、反射波が予め定められた一定周期の信号（回転反射板の回転でのドップラ効果により得られる信号）であるか否かが判別され、回転反射板以外のものにて反射した反射波を適切に排除している。
【００３２】
その後、センサユニット２３は、回動範囲を受信エリア内に狭め、その受信エリア内にて、マーカＭに向けてマイクロ波を照射させ、回転反射板にて反射される反射波の強度を求める。そして、マーカＭが位置する正確な方位（基準方位）を検出する。つまり、センサユニット２３は、受信エリア内の方位で受信した反射波に基づいて、マーカＭと真正面に対向する基準方位を検出する。
より具体的には、センサユニット２３は、基準方位を検出すると、基準方位と基準線Ｌとがなす角度θを求める。
なお、基準方位は、マーカＭの回転反射板の回転によるドップラ効果のピークから検出してもよく、また、受信エリアの中心方位から検出してもよい。
【００３３】
センサユニット２３が基準方位を検出すると、計測ユニット２２は、その基準方位に向けて自動的に回動する。
より具体的には、計測ユニット２２は、センサユニット２３から角度θの情報を受けると、計測方向が角度θ（基準線Ｌと計測方向とがなす角度）となる方位まで回動する。
回動を終えると、計測ユニット２２は、計測方向に位置するマーカＭに向けて赤外線を照射し、マーカＭの反射鏡にて反射され戻ってくる時間等により、マーカＭとの距離を計測する。
【００３４】
このように配置機器１に配置された距離計測装置２は、センサユニット２３によりマーカＭの基準方位を自動的に検出し、検出した基準方位に従って、計測ユニット２２の計測方向が自動的に調整される。そして、計測方向が補正された計測ユニット２２によりマーカＭとの距離が自動的に計測されるため、計測方向の調整から距離の計測に至るまで、全て自動的に行うことができる。
【００３５】
つまり、配置機器１によって、三脚２１が固定され、三脚２１に載置される計測ユニット２２が、地上から所定の高さに配置される。例えば、８０ｍ付近の距離を測定する場合、この高さは、１．５ｍとなり、上述したように、計測ユニット２２の有する計測仕様を満足させている。
また、配置機器１によって、センサユニット２３が中心点Ｐ（計測ユニット２２の直下）から所定の距離だけ離れた位置に配置される。例えば、８０ｍ付近の距離を測定する場合、この距離は、１．５ｍとなり、上述したように、計測ユニット２２の有する計測仕様を満足させている。
【００３６】
従って、配置機器１により、距離計測装置２の距離計測を正確に行わせることができる。
この結果、配置機器１は、このような距離計測装置２を適切に配置することができる。
【００３７】
上記の実施の形態では、配置機器１がセンサユニット２３を配置する位置を固定する場合について説明したが、センサユニット２３を配置する位置を適宜変えられるようにしてもよい。
例えば、図８（ａ）に示すように、アームプレート１４がメインプレート１１上に軸支され回動自在であってもよい。この場合、図８（ｂ）に示すように、アームプレート１４を回動させれば、各固定穴１５を基準とした中心点Ｐ（若しくは、その近傍）に取り付け穴１６を位置させることができ、センサユニット２３を計測ユニット２２の直下（若しくは、その近傍）に配置することができる。
【００３８】
また、配置機器１全体が折りたたみ自在であってもよい。
例えば、図９（ａ）に示すように、メインプレート１１，１２が接合点Ａを軸として回動自在に形成されている。また、センタプレート１３は、端部Ｂがメインプレート１２に回動自在に軸支され、使用時に端部Ｃがメインプレート１１の留め金Ｄと係合する。
更に、アームプレート１４は、端部Ｅがメインプレート１１に回動自在に軸支される。
これにより、運搬時等に、配置機器１は、図９（ｂ）に示すように、折りたたむことができる。
【００３９】
上記の実施の形態では、陸上競技における比較的長距離（例えば、８０ｍ程度）を計測する場合について説明したが、比較的短距離（例えば、１０ｍ程度）を計測する場合にも適宜適用可能である。
つまり、陸上競技の他のフィールド競技（走り高跳び、走り幅跳び、三段跳び、棒高跳び、砲丸投げ）等に使用される場合も適用可能である。
比較的短距離を計測する場合には、配置機器１のサイズ等が適宜小さく形成される。また、計測ユニット２２を載置する三脚２１も適宜小型化されたものが用いられる。
【００４０】
これは、１０ｍ付近の距離を計測するため、例えば、上述の図４にて説明したように、計測ユニット２２を１．５ｍの高さに配置してしまうと、角度φは、ｔａｎ（φ）＝１．５／１０によって求められ、φ＝８．５３（ＤＥＧ）となり、計測ユニット２２の有する計測仕様（マーカＭと真正面に対向して、プラスマイナス２度の範囲内）を大きく超えてしまうことになる。
また、上述の図５にて説明したように、センサユニット２３と計測ユニット２２との距離を１．５ｍとしてしまうと、同様に、φ＝８．５３（ＤＥＧ）となり、計測ユニット２２の有する計測仕様（プラスマイナス２度の範囲内）を大きく超えてしまうことになる。
【００４１】
そこで、計測ユニット２２の有する計測仕様を満足するために、ｔａｎ（２度）＝Ｌ／１０を計算すると、Ｌ＝０．３４９となる。つまり、計測ユニット２２の高さ及び、センサユニット２３との距離は、一例として、３０ｃｍとすることになる。
【００４２】
すなわち、配置機器１は、全体が小さく形成されると共に、三脚２１の脚の長さ等が勘案され、メインプレート１１，１２には、計測ユニット２２を地上から３０ｃｍの高さに配置できるような位置に、各固定穴１５が刻設されている。
また、アームプレート１４には、センサユニット２３を中心点Ｐ（計測ユニット２２の直下）から３０ｃｍの距離に配置できるような位置に、取り付け穴１６が刻設されている。
そして、三脚２１の脚の長さ（高さ）等も適宜変更されたものに、計測ユニット２２が載置される。
【００４３】
このようなサイズ等が適宜小さくされた配置機器１及び、適宜小型化された三脚２１の距離計測装置２を使用しても、上記と同様に、センサユニット２３によりマーカＭの基準方位を自動的に検出し、検出した基準方位に従って、計測ユニット２２の計測方向が自動的に調整される。そして、計測方向が補正された計測ユニット２２によりマーカＭとの距離が自動的に計測されるため、計測方向の調整から距離の計測に至るまで、全て自動的に行うことができる。
そして、この場合も、配置機器１によって、三脚２１が固定され、三脚２１に載置される計測ユニット２２が、地上から所定の高さ（１０ｍ付近の距離を測定するために３０ｃｍ）に配置される。また、配置機器１によって、センサユニット２３が中心点Ｐ（計測ユニット２２の直下）から所定の距離（１０ｍ付近の距離を測定するために３０ｃｍ）だけ離れた位置に配置される。
これにより、計測ユニット２２の有する計測仕様を満足させ、距離計測装置２の距離計測を正確に行わせることができる。
この結果、配置機器１は、このような距離計測装置２を適切に配置することができる。
【００４４】
（他の実施形態）
上記の実施の形態では、配置機器１を使用して距離計測装置２の計測ユニット２２及びセンサユニット２３を適切に配置する場合について説明した。
しかしながら、配置機器１を用いずに、距離計測装置２の計測ユニット２２及びセンサユニット２３を適切に配置してもよい。
【００４５】
例えば、図１０（ａ），（ｂ）に示すように、計測ユニット２２とセンサユニット２３とを接続するケーブル２４の長さを、計測する距離の長短に応じて予め調整しておくことにより、センサユニット２３を中心点Ｐ’（計測ユニット２２の直下）から所定の距離以内に配置する。
具体的には、陸上競技の投てき競技（円盤投げ、ハンマー投げ、槍投げ）等にて、８０ｍ付近の距離を計測する場合に、図１０（ａ）に示すようにケーブル２４の長さを約２．１ｍに調整する。つまり、センサユニット２３を中心点Ｐ’から１．５ｍ以内（１．５ｍを超えない位置）に配置するために、約２．１ｍの長さのケーブル２４が用いられる。
なお、この場合、三脚２１には、計測ユニット２２を地上から１．５ｍの高さに保持できるものが用いられる。
【００４６】
また、陸上競技の他のフィールド競技（走り高跳び、走り幅跳び、三段跳び、棒高跳び、砲丸投げ）等にて、１０ｍ付近の距離を計測する場合に、図１０（ｂ）に示すようにケーブル２４の長さを約４２．５ｃｍに調整する。つまり、センサユニット２３を中心点Ｐ’から３０ｃｍ以内（３０ｃｍを超えない位置）に配置するために、約４２．５ｃｍのケーブル２４が用いられる。
なお、この場合、三脚２１には、計測ユニット２２を地上から３０ｃｍの高さに保持できるものが用いられる。
【００４７】
そして、これら上述した長さの異なるケーブル２４（種類の異なるケーブル２４）は、配色が変えられたり、競技名を付したラベル等により区別され、同様に種類の異なる三脚２１と共に計測距離の長短等に応じて切り換えて使用される。
【００４８】
このように、ケーブル２４の長さ等が適宜調整された距離計測装置２を使用しても、上記と同様に、センサユニット２３が中心点Ｐ’（計測ユニット２２の直下）から所定の距離だけ離れた位置に配置される。また、計測ユニット２２も対応する種類の三脚２１により、地上から所定の高さに配置される。
これにより、計測ユニット２２の有する計測仕様を満足させ、距離計測装置２の距離計測を正確に行わせることができる。
この結果、配置機器１は、このような距離計測装置２を適切に配置することができる。
【００４９】
上記の実施の形態では、陸上競技のフィールド競技に適用する場合について説明したが、他の競技や他の産業等にも適宜利用可能である。
【００５０】
以上説明したように、本発明によれば、距離計測装置を適切に配置することができる。
【図面の簡単な説明】
【００５１】
【図１】本発明の実施の形態に係る配置機器及び、距離計測装置の外観の一例を示す斜視図である。
【図２】配置機器の平面図である。
【図３】アームプレートに刻設された取り付け穴の位置を説明するための模式図である。
【図４】配置機器に取り付けられた計測ユニットの配置を説明するための模式図である。
【図５】配置機器に取り付けられたセンサユニットの配置を説明するための模式図である。
【図６】操作者が操作する様子を説明するための模式図である。
【図７】配置機器により配置された距離計測装置の具体的な動作を説明するための模式図である。
【図８】（ａ），（ｂ）共に、アームプレートが回動する様子を説明するための模式図である。
【図９】（ａ），（ｂ）共に、折りたたみ自在な配置機器の一例を示す模式図である。
【図１０】（ａ），（ｂ）共に、ケーブルの長さが調整された距離計測装置の一例を示す模式図である。
【符号の説明】
【００５２】
１    配置機器
２    距離計測装置
１１，１２  メインプレート
１３  センタプレート
１４  アームプレート
２１  三脚
２２  計測ユニット
２３  センサユニット
２４  ケーブル
【図１】
2005257462.tif 000003
【図２】
2005257462.tif 000004
【図３】
2005257462.tif 000005
【図４】
2005257462.tif 000006
【図５】
2005257462.tif 000007
【図６】
2005257462.tif 000008
【図７】
2005257462.tif 000009
【図８】
2005257462.tif 000010
【図９】
2005257462.tif 000011
【図１０】
2005257462.tif 000012